(57)【要約】【課題】  ジェットポンプのディフューザ側周面の周方向に流量計測配管をより強固に固定する。【解決手段】  配管クランプ装置１は、ジェットポンプのディフューザ２１側周面に法線方向に突出して設けられ、ディフューザ２１の周方向に計測配管３１を保持するコの字型部を有するサポート２２に対し、ディフューザ２１と計測配管３１の間の位置にサポート２２の上背部２２ｂに鉛直上方から跨ってディフューザ２１に当接して設けられ、サポート２２を挟んだ両側において内側把持部２ｃを有する内側固定具２と、サポート２２の上方から内側固定具２に係合し、サポート２２を挟んだ両側において外側把持部４ｃを有する外側固定具４とを備え、内側把持部２ｃおよび外側把持部４ｃによって計測配管３１を把持する。【選択図】  図１
2013015465.tif 000002
【特許請求の範囲】
【請求項１】
ジェットポンプのディフューザの側周面に法線方向に突出して設けられ、前記ディフューザの周方向に計測配管を保持する計測配管保持部を有するサポートに対し、前記ディフューザと前記計測配管の間の位置に前記サポートの上背部に鉛直上方から跨って設けられ、前記サポートを挟んだ両側において内側把持部を有する内側固定具と、
前記サポートの上方において前記内側固定具に係合し、前記サポートを挟んだ両側において外側把持部を有する外側固定具とを備え、
前記内側把持部および前記外側把持部によって前記計測配管を把持することを特徴とする配管クランプ装置。
【請求項２】
前記ディフューザに対し外側を向き鉛直方向に向かって前記ディフューザに近づく内側楔斜面と前記ディフューザに当接するディフューザ当接面とを有する内側楔をさらに備え、
前記内側固定具は、前記ディフューザに対し内側を向き鉛直方向に向かって前記ディフューザに近づく内側固定具斜面を有し、
前記側固定具斜面および前記内側楔斜面を互いに滑動可能に当接して設けられ、前記内側楔の自重によって前記内側固定具を前記ディフューザの法線外側方向へ移動させ、前記内側把持部の把持力とすることを特徴とする請求項１に記載の配管クランプ装置。
【請求項３】
前記ディフューザに対して内側を向き鉛直方向に向かって前記ディフューザから遠ざかる外側楔斜面を有する外側楔をさらに備え、
前記外側固定具は、前記ディフューザに対し外側を向き鉛直方向に向かって前記ディフューザから遠ざかる外側固定具斜面を有し、
前記外側固定具斜面および前記外側楔斜面を互いに滑動可能に当接して設けられ、
前記内側固定具および前記外側楔を鉛直方向に移動可能に固定する外側楔締結ねじをさらに備え、
この外側楔締結ねじの締め付けによって前記外側固定具斜面および前記外側楔斜面を滑動させ、前記外側固定具をディフューザの法線内側方向へ動かし、前記外側把持部の把持力とすることを特徴とする請求項１または請求項２に記載の配管クランプ装置。
【請求項４】
前記内側楔を前記前記外側固定具に鉛直方向に移動可能に固定する内側楔締結ねじをさらに備え、この内側楔締結ねじの締め付けによって前記内側楔を鉛直方向へ食い込ませることを特徴とする請求項３に記載の配管クランプ装置。
【請求項５】
前記サポートは、前記ディフューザの側周面の鉛直方向軸上に複数設けられ、
前記内側固定具および前記外側固定具は各々複数の内側把持部および外側把持部を有し、
前記内側固定具は、複数の前記サポートの最上に位置するものに跨り取付けられ、複数の計測配管を把持し固定することを特徴とする請求項１乃至請求項４の何れか一項に記載の配管クランプ装置。 
【発明の詳細な説明】
【技術分野】
【０００１】
本発明は、ジェットポンプの流量計測用配管をディフューザに固定する配管クランプ装置に関する。
【背景技術】
【０００２】
従来、沸騰水型原子炉では、出力密度を高めるために原子炉圧力容器外部に設けた再循環ポンプと原子炉圧力容器内部に設けたジェットポンプとを組み合わせた、いわゆるジェットポンプシステムが採用されている（例えば、特許文献１参照。）。
【０００３】
図１６は、沸騰水型原子炉におけるジェットポンプを示す概略断面斜視図である。図１６に示すように、ジェットポンプ１０は、原子炉圧力容器１１の内部であって炉心シュラウド１２の外周に複数設けられる。原子炉圧力容器１１外部に設けられた再循環ポンプによって駆動水が再循環入口ノズル１３を介してライザー管１４内部に供給される。駆動水はさらに混合ノズル１５を通ってインレットスロート１６内部を流通する。このとき、駆動水の流れによって混合ノズル１５周囲の炉水をインレットスロート１６に引き込む。さらにインレットスロート１６の下部に設けられたディフューザ２１によって駆動水および炉水を排出して炉内で循環させる。
【０００４】
ここで、ジェットポンプの流量を計測するための計測配管３１がディフューザ２１の側周面に設けられる。この計測配管はディフューザ２１の長手方向の静圧差を測定し、この測定値をプラント使用前に測定した較正値と比較することによってジェットポンプ１０の流量を算出する。計測配管３１は、ディフューザ２１側周面において長手方向に沿って鉛直下方に沿って伸び、ディフューザ２１側周面の下部において周方向に向きを変え、原子炉圧力容器１１の外部へ取り出すように設けられる。この計測配管３１には原子炉内の循環水による流体圧力や流体振動による応力が作用するため、ディフューザ２１側周面の長手方向に計測配管を固定する技術が開発されている（例えば、特許文献２参照。）。
【０００５】
また、従来は計測配管のディフューザ２１側周面の周方向への固定は、ディフューザ２１から法線方向に突出してコの字型の溝を有するサポート２２を設け、このサポート２２のコの字型の溝に計測配管を収めることによって行われていた。そこで、ディフューザ２１側周面の周方向に計測配管３１をより強固に固定するために、コの字型の溝を有する支持体の溝に流量計測配管を納めた状態でハウジングを外側から支持体に嵌合させ、支持体およびハウジングによって計測配管３１を把持することによって、ディフューザ２１の側周面の周方向に計測配管３１を固定する技術が開発されている（例えば、特許文献３参照。）。
【先行技術文献】
【特許文献】
【０００６】
【特許文献１】特開２００９−７５０７７号公報
【特許文献２】特開平７−２３４２９８号公報
【特許文献３】特開２００８−２９８７７３号公報
【発明の概要】
【発明が解決しようとする課題】
【０００７】
しかしながら、上述した特許文献２に記載の技術は、１つの計測配管を支持体およびハウジングに把持される１点によって固定しているため、計測配管の振動等によって把持する部位に応力が集中する可能性があった。そこで本発明は、ジェットポンプのディフューザ側周面の周方向に流量計測配管をより強固に固定することができる配管クランプ装置の提供を目的とする。
【課題を解決するための手段】
【０００８】
上記目的を達成するために、本発明の配管クランプ装置は、ジェットポンプのディフューザの側周面に法線方向に突出して設けられ、ディフューザの周方向に計測配管を保持する計測配管保持部を有するサポートに対し、ディフューザと計測配管の間の位置にサポートの上背部に鉛直上方から跨ってディフューザに当接して設けられ、サポートを挟んだ両側において内側把持部を有する内側固定具と、サポートの上方から内側固定具に係合し、サポートを挟んだ両側において外側把持部を有する外側固定具とを備え、内側把持部および外側把持部によって計測配管を把持することを特徴とする。
【発明の効果】
【０００９】
本発明によれば、配管クランプ装置によってジェットポンプのディフューザ側周面の周方向に流量計測配管をより強固に固定することができる。
【図面の簡単な説明】
【００１０】
【図１】本発明の第１の実施形態に係る配管クランプ装置の概略斜視図。
【図２】本発明の第１の実施形態に係る配管クランプ装置が設けられるディフューザのサポートを示す斜視図。
【図３】本発明の第１の実施形態に係る配管クランプ装置の内側固定具の三面図を示し、（ａ）は平面図、（ｂ）は正面図、（ｃ）は側面図。
【図４】本発明の第１の実施形態に係る配管クランプ装置の外側固定具の三面図を示し、（ａ）は平面図、（ｂ）は正面図、（ｃ）は側面図。
【図５】本発明の第１の実施形態に係る配管クランプ装置の内側楔の三面図を示し、（ａ）は平面図、（ｂ）は正面図、（ｃ）は側面図。
【図６】本発明の第１の実施形態に係る配管クランプ装置の外側楔の三面図を示し、（ａ）は平面図、（ｂ）は正面図、（ｃ）は側面図。
【図７】本発明の第１の実施形態に係る配管クランプ装置の概略側面図。
【図８】本発明の第１の実施形態の配管クランプ装置の複数の計測配管を固定する場合の概略側面図。
【図９】本発明の第２の実施形態に係る配管クランプ装置の概略斜視図。
【図１０】本発明の第２の実施形態に係る配管クランプ装置の内側固定具の三面図を示し、（ａ）は平面図、（ｂ）は正面図、（ｃ）は側面図。
【図１１】本発明の第２の実施形態に係る配管クランプ装置の外側固定具の三面図を示し、（ａ）は平面図、（ｂ）は正面図、（ｃ）は側面図。
【図１２】本発明の第２の実施形態に係る配管クランプ装置の内側楔の三面図を示し、（ａ）は平面図、（ｂ）は正面図、（ｃ）は側面図。
【図１３】本発明の第２の実施形態に係る配管クランプ装置の外側楔の三面図を示し、（ａ）は平面図、（ｂ）は正面図、（ｃ）は側面図。
【図１４】本発明の第２の実施形態に係る配管クランプ装置の概略側面図。
【図１５】本発明の第３の実施形態に係る配管クランプ装置の概略側面図。
【図１６】沸騰水型原子炉におけるジェットポンプを示す概略断面斜視図。
【発明を実施するための形態】
【００１１】
以下、本発明の実施形態を説明する。
【００１２】
（第１の実施形態）
（構成）
以下、本発明の第１の実施形態に係る配管クランプ装置について図１乃至図８を参照して説明する。図１は、本発明の第１の実施形態に係る配管クランプ装置の概略斜視図である。配管クランプ装置１は、内側固定具２と、内側楔３と、外側固定具４と、外側楔５と、外側楔締結ねじ６とから構成される。
【００１３】
図２は、本発明の第１の実施形態に係る配管クランプ装置が設けられるディフューザのサポートを示す斜視図である。図２に示すように、鉛直方向に向かって開口面積が大きくなる円筒形状のディフューザ２１側周面の法線方向に突出して矩形のサポート２２が設けられる。サポート２２は、端部にコの字型の計測配管保持部２２ａを有する。この計測配管保持部２２ａ内に計測配管３１を収めることによって、サポート２２はディフューザ２１側周面の周方向に計測配管３１を支持している。さらに、矩形のサポート２２の上面を上背部２２ｂとする。
【００１４】
以下、配管クランプ装置１の各構成をサポート２２への取付け順に説明する。図３は、本発明の第１の実施形態に係る配管クランプ装置の内側固定具の三面図を示し、（ａ）は平面図、（ｂ）は正面図、（ｃ）は側面図である。図３（ｂ）に示すように、内側固定具２は股部２ｅが形成されて下部が分岐した二股形状である。ここで、股部２ｅはサポート２２の上背部２２ｂから跨って係合することができる形状である。さらに、二股の各々に内側固定具把持部２ｃが形成される。
【００１５】
また図３（ｃ）に示すように、内側固定具把持部２ｃの反対側に内側固定具斜面２ａが形成される。内側固定具斜面２ａは、サポート２２への取付け時においてディフューザ２１に対し内側を向き鉛直方向に向かってディフューザ２１に近づく傾斜面である。
【００１６】
また、内側固定具２の股部２ｅより上方の上部に凸形状の内側固定具係合部２ｄが形成される。さらに、内側固定具斜面２ａの一部を上方から鉛直方向に切り欠いて縦溝部２ｆを形成する。さらに図３（ａ）および図３（ｃ）に示すように、内側固定具２の上部を内側固定具把持部２ｃ側に水平に伸ばした位置に内側固定具ねじ孔２ｇが上方から貫いて形成される。
【００１７】
図４は、本発明の第１の実施形態に係る配管クランプ装置の外側固定具の三面図を示し、（ａ）は平面図、（ｂ）は正面図、（ｃ）は側面図である。図４（ｂ）に示すように、外側固定具４は股部４ｅが形成されて下部が分岐した二股形状である。この二股の各々に外側把持部４ｃが形成される。さらに、股部４ｅをさらに窪ませて凹形状の外側固定具係合部４ｄが形成される。外側固定具係合部４ｄは、内側固定具係合部２ｄとディフューザ２１の法線方向に摺動可能に係合することができる形状である。
【００１８】
また、股部４ｅより上方の上部のうち外側把持部４ｃと反対側に外側固定具斜面４ａが形成される。外側固定具斜面４ａは、サポート２２への取付け時においてディフューザ２１に対し外側を向き鉛直方向に向かってディフューザ２１から遠ざかる傾斜面である。
【００１９】
図５は、本発明の第１の実施形態に係る配管クランプ装置の内側楔の三面図を示し、（ａ）は平面図、（ｂ）は正面図、（ｃ）は側面図である。図５（ｂ）のように内側楔３は、股部３ｅが形成されて下部が分岐した二股形状である。さらに、内側楔３の一面にサポート２２への取付け時においてディフューザ２１に対し外側を向き鉛直方向に向かってディフューザ２１に近づく傾斜面である内側楔斜面３ａが形成される。また、内側楔斜面３ａの反対側には、サポート２２への取付け時においてディフューザ２１側周面に当接するディフューザ当接面３ｂが形成される。ディフューザ当接面３ｂはディフューザ２１側周面に当接することができるように、ディフューザ２１の円筒形状に沿った曲率によって形成される。
【００２０】
さらに、内側楔３の内側楔斜面３ａに上方から鉛直方向に縦溝係合部３ｆを形成する。縦溝係合部３ｆは、内側固定具２の縦溝部２ｆに上方から差し込んで鉛直方向に摺動可能に係合することができる形状である。
【００２１】
図６は、本発明の第１の実施形態に係る配管クランプ装置の外側楔の三面図を示し、（ａ）は平面図、（ｂ）は正面図、（ｃ）は側面図である。図６（ｃ）に示すように、外側楔５はサポート２２への取付け時においてディフューザ２１に対し内側を向き鉛直方向に向かってディフューザ２１から遠ざかる傾斜面である外側楔斜面５ａを有する。さらに図６（ａ）、図６（ｃ）に示すように、外側楔ねじ孔５ｄが上方から貫いて形成される。
【００２２】
（作用）
以下、本発明の第１の実施形態の作用について説明する。図７は、本発明の第１の実施形態に係る配管クランプ装置の概略側面図である。まず、内側固定具２が、ディフューザ２１と計測配管３１の間の位置にサポート２２に鉛直上方から跨って股部２ｅをサポート２２の上背部２２ｂに係合させてサポート２２に取付けられる。さらに、２つの内側固定具把持部２ｃをそれぞれ計測配管３１に接触させる。
【００２３】
次に外側固定具４が、上方から外側固定具係合部４ｄを内側固定部２の内側固定部係合部２ｄに被さるように係合することによって取付けられる。さらに、外側固定具係合部４ｄを内側固定具係合部２ｄとディフューザ２１の法線方向に摺動させて２つの外側把持部４ｃを計測配管３１に接触させるように位置調整する。
【００２４】
さらに内側楔３が、ディフューザ２１と内側固定部２との間において、縦溝係合部３ｆを内側固定具２の縦溝部２ｆに差し込んで取り付けられる。このとき、ディフューザ当接面３ｂはディフューザ２１の側周面に当接し、内側楔斜面３ａは内側固定具斜面２ａに当接する。内側楔斜面３ａと内側固定具斜面２ａは互いに滑動可能であるため、内側楔３の自重によって内側固定具２はディフューザ２１側周面の法線外側方向へ動かされ、内側からの把持力となる。さらに、内側固定具２の縦溝部２ｆと内側楔３の縦溝係合部３ｆが鉛直方向に摺動可能に係合することによって周方向の内側楔３の滑動が防止される。
【００２５】
最後に、外側楔ねじ孔５ｇに外側楔締結ねじ６を差し込んだ状態で上方から下ろし、外側楔締結ねじ６を内側固定部２の内側固定部ねじ孔２ｇに差し込む。さらに、外側楔５の外側楔斜面５ａを外側固定具４の外側固定具斜面４ａを滑動可能に当接させた状態で外側楔締結ねじ６を締結する。このとき、外側楔締結ねじ６の締結によって外側楔５が下方へ移動し、外側楔斜面５ａおよび外側固定具斜面４ａが互いに滑動することによって、外側固定具４がディフューザ２１側周面の法線内側方向へ移動し、外側固定具４の外側方向からの把持力となる。
【００２６】
外側楔締結ねじ６の締結時には、外側固定具係合部４ｄは内側固定具係合部２ｄに対してディフューザ２１の法線方向に摺動する。締結のトルク測定や内側固定具２と外側固定具４の位置関係を測定することによって適切な強度で計測配管３１を把持し固定することができる。
【００２７】
本実施形態は、以下の変形が可能である。図８は、本発明の第１の実施形態の配管クランプ装置の複数の計測配管を固定する場合の概略側面図である。図８では、ディフューザ２１側周面の同じ鉛直方向軸上に複数のサポート２２が設けられ、各々計測配管３１が支持されている。この場合、内側固定具２の内側固定具把持部２ｃおよび外側固定具４の外側固定具把持部４ｃを鉛直方向に複数設ける構成とする。
【００２８】
内側固定具２は、ディフューザ２１側周面の同じ鉛直方向軸上に設けられる複数のサポート２２のうち最上に位置するものの上背部２２ｂに内側固定具２の股部２ｅが跨って取り付けられる。さらに、内側固定具２の複数の内側固定具把持部２ｃを各々複数のサポート２２に支持される計測配管３１に接触させる。次に外側固定具４を、上方から外側固定具係合部４ｄを内側固定部２の内側固定部係合部２ｄに被さるように係合することによって取り付け、複数の外側固定具把持部４ｃを各々複数の計測配管３１に接触させる。
【００２９】
最後に、上述したように内側楔３ならびに外側楔５を取付け、外側楔締結ねじ６による締結を行うことによって複数の計測配管３１を１つの配管クランプ装置によって把持し固定する。
【００３０】
（効果）
本発明の第１の実施形態によれば、ディフューザ２１のサポート２２の両側において計測配管３１を把持することによって、計測配管３１の固定箇所ならびに固定面積を増やし、冷却水等による応力が計測配管３１に集中することを低減することができる。
【００３１】
（第２の実施形態）
（構成）
以下、本発明の第２の実施形態に係る配管クランプ装置について図９乃至図１４を参照して説明する。第１の実施形態に係る配管クランプ装置の各部と同一部分には同一符号を付し、同一の構成についての説明は省略する。図９は、本発明の第２の実施形態に係る配管クランプ装置の概略斜視図である。
【００３２】
第２の実施形態が第１の実施形態と異なる点は、内側楔３を下方へ移動させる機構を新たに設けた点である。配管クランプ装置１は、内側固定具２と、内側楔３と、外側固定具４と、外側楔５と、外側楔締結ねじ６、外側楔締結ピン６aと、内側楔締結ねじ７とから構成される。
【００３３】
以下、配管クランプ装置１の各構成をサポート２２への取付け順に説明する。図１０は、本発明の第２の実施形態に係る配管クランプ装置の内側固定具の三面図を示し、（ａ）は平面図、（ｂ）は正面図、（ｃ）は側面図である。図１０（a）に示すように、内側固定具２は上述した第１の実施形態の構成に加え、内側固定具ねじ孔２ｇの両側において、さらに内側固定具ねじ孔２ｈ、２ｊを有する。
【００３４】
図１１は、本発明の第２の実施形態に係る配管クランプ装置の外側固定具の三面図を示し、（ａ）は平面図、（ｂ）は正面図、（ｃ）は側面図である。外側固定具４は、第１の実施形態と同様の形状が適用可能である。
【００３５】
図１２は、本発明の第２の実施形態に係る配管クランプ装置の内側楔の三面図を示し、（ａ）は平面図、（ｂ）は正面図、（ｃ）は側面図である。図１２（a）、図１２（ｃ）に示すように、内側楔３は上述した第１の実施形態の構成に加え、股部３eより上方の上部を内側楔斜面３ａ側に水平に伸ばした位置に上下に貫いた内側楔ねじ孔１３ｄをさらに有する。
【００３６】
図１３は、本発明の第２の実施形態に係る配管クランプ装置の外側楔の三面図を示し、（ａ）は平面図、（ｂ）は正面図、（ｃ）は側面図である。図１３（a）に示すように、外側楔５は上述した第１の実施形態の構成の外側楔ねじ孔５ｇに代えて、両端付近を上下に貫く外側楔ねじ孔１５ｈ、１５ｊが設けられる。
【００３７】
（作用）
以下、本発明の第２の実施形態の作用について説明する。図１４は、本発明の第２の実施形態に係る配管クランプ装置の概略側面図である。まず、内側固定具２がディフューザ２１と計測配管３１の間の位置において、サポート２２に鉛直上方から跨って股部２ｅをサポート２２の上背部２２ｂに係合させて取付けられる。次に外側固定具４が、上方から外側固定具係合部４ｄを内側固定部２の内側固定部係合部２ｄに係合して取付けられる。
【００３８】
さらに、外側楔１５の外側楔ねじ孔５ｈ、５ｊにそれぞれ外側楔締結ねじ６、外側楔締結ピン６aを差し込んだ状態で上方から下ろし、外側楔締結ねじ６、外側楔締結ピン６aをそれぞれ内側固定部２の内側固定部ねじ孔２ｈ、２ｊに差し込む。さらに、外側楔５の外側楔斜面５ａを外側固定具４の外側固定具斜面４ａを滑動可能に当接させた状態で外側楔締結ねじ６を締結する。
【００３９】
最後に内側楔３の内側楔ねじ孔３ｇに内側楔締結ねじ７を差し込んだ状態で上方から下ろし、内側楔締結ねじ７を内側固定部ねじ孔２ｇに差し込み、ディフューザ２１と内側固定部２との間において縦溝係合部３ｆを縦溝部２ｆに差し込んで取り付けられる。さらに、ディフューザ当接面３ｂをディフューザ２１の側周面に当接させ、内側楔斜面３ａを内側固定具斜面１２ａに当接させた状態で内側楔締結ねじ７を締結する。このとき、内側楔締結ねじ７の締結によって内側楔１３が下方へ移動し、内側楔斜面１３ａと内側固定具斜面１２ａが互いに滑動することによって、内側固定具１２はディフューザ２１側周面の法線外側方向へ動かされて内側方向からの把持力となる。
【００４０】
（効果）
本発明の第２の実施形態によれば、内側楔３を内側楔締結ねじ７の締結によって下方へ移動させることによって、内側固定具２をディフューザ２１の法線方向に移動させ、さらに内側方向からの把持力を高めることができる。
【００４１】
（第３の実施形態）
（構成）
以下、本発明の第３の実施形態に係る配管クランプ装置について図１５を参照して説明する。第１の実施形態に係る配管クランプ装置の各部と同一部分には同一符号を付し、同一の構成についての説明は省略する。
【００４２】
図１５は、本発明の第３の実施形態に係る配管クランプ装置の概略側面図である。第３の実施形態が第１の実施形態と異なる点は、内側楔３および外側楔５を省いた点である。配管クランプ装置１は、内側固定具２と、外側固定具４と、固定ねじ８とから構成される。
【００４３】
内側固定具２は、内側楔３に代えてディフューザ当接面２ｂを有する。また内側固定具２は、股部２ｂによってサポート２２の上背部２２ｂに跨って取り付けたときに、ディフューザ当接面２ｂがディフューザ２１側周面に接触し、内側把持部２ｃが計測配管３１に接触する形状である。
【００４４】
さらに内側固定具２は、ディフューザ２１側周面の法線方向に伸ばした位置に内側固定具ねじ孔２ｇを有する。外側固定具４は、ディフューザ２１側周面の法線方向に伸ばした位置に外側固定具ねじ孔４ｇを有する。
【００４５】
（作用）
以下、本発明の第２の実施形態の作用について説明する。配管クランプ装置１の取付け時において、まず内側固定具２を股部２eによってサポート２２の上背部２２ｂに跨って取り付け、ディフューザ当接面２ｂをディフューザ２１側周面に接触させ、内側把持部２ｃを計測配管３１に接触させる。さらに、外側固定具４の外側固定具ねじ孔４ｇに固定ねじ８を差し込んだ状態で上方から下ろし、固定ねじ８を内側固定部ねじ孔２ｇに差し込む。
【００４６】
さらに、外側固定具係合部４ｄを内側固定部２の内側固定部係合部２ｄに被せて係合することによって外側固定具４が取付けられる。さらに、内側把持部２ｃおよび外側把持部４ｃによって計測配管３１を把持するように位置調整する。最後に固定ねじ８を締結することによって内側固定部２および外側固定具４の相互位置を固定する。
【００４７】
（効果）
本発明の第３の実施形態によれば、内側楔３および外側楔５を省いた構成によっても、内側把持部２ｃおよび外側把持部４ｃによって計測配管３１を把持し、固定ねじ８によって内側固定部２および外側固定具４の相互位置を固定することができる。 
【符号の説明】
【００４８】
１・・・配管クランプ装置
２・・・内側固定具
２ａ・・・内側固定具斜面
２ｃ・・・内側固定具把持部
２ｄ・・・内側固定具係合部
２ｅ・・・股部
２ｆ・・・縦溝部
２ｇ・・・内側固定具ねじ孔
３・・・内側楔
３ａ・・・内側楔斜面
３ｂ・・・ディフューザ当接面
３ｅ・・・股部
３ｆ・・・縦溝係合部
４・・・外側固定具
４ａ・・・外側固定具斜面
４ｃ・・・外側固定具把持部
４ｄ・・・外側固定具係合部
４ｅ・・・股部
５・・・外側楔
５ａ・・・外側楔斜面
５ｇ、５ｈ、５ｊ・・・外側楔ねじ孔
６・・・外側楔締結ねじ
６ａ・・・外側楔締結ピン
７・・・内側楔楔締結ねじ
１０・・・ジェットポンプ
１１・・・原子炉圧力容器
１２・・・炉心シュラウド
１３・・・再循環入口ノズル
１４・・・ライザー管
１５・・・混合ノズル
１６・・・インレットスロート
２１・・・ディフューザ
２２・・・サポート
３１・・・計測配管 
【図１】
2013015465.tif 000003
【図２】
2013015465.tif 000004
【図３】
2013015465.tif 000005
【図４】
2013015465.tif 000006
【図５】
2013015465.tif 000007
【図６】
2013015465.tif 000008
【図７】
2013015465.tif 000009
【図８】
2013015465.tif 000010
【図９】
2013015465.tif 000011
【図１０】
2013015465.tif 000012
【図１１】
2013015465.tif 000013
【図１２】
2013015465.tif 000014
【図１３】
2013015465.tif 000015
【図１４】
2013015465.tif 000016
【図１５】
2013015465.tif 000017
【図１６】
2013015465.tif 000018